(57)【要約】【課題】左右の指先を積極的に動かすか或いは動かそうとする努力によって、指先及びそれをコントロールする脳の活性化を図り、老化の進行を遅らせる。【解決手段】指先でボタンを押す動作を繰り返すリハビリテーションのための装置として、盤面１２に配列された、左右各複数個よりなるボタンＬ１〜Ｒ５の列と、ボタンＬ１〜Ｒ５の押されたことを知らせる報知手段１６と、ボタンＬ１〜Ｒ５の押された回数を計数し表示するカウンター２０Ｌ、２０Ｒ、２０Ｔと、上記計数の表示をゼロに戻すリセット手段２１Ｌ、２１Ｒを具備して構成する。【選択図】          図１
2009189645.tif 000002
【特許請求の範囲】
【請求項１】
指先でボタンを押す動作を繰り返すリハビリテーションのための装置であって、
盤面に配列された、左右各複数個よりなるボタンの列と、
ボタンの押されたことを知らせる報知手段と、
ボタンの押された回数を計数し表示するカウンターと、
上記計数の表示をゼロに戻すリセット手段
を具備して構成された指操作式リハビリテーション装置。
【請求項２】
左右各複数個よりなるボタンの列には、各ボタンを個別に作動可能な状態にするために、ボタンと同数個の個別スイッチが設けられている請求項１記載の指操作式リハビリテーション装置。
【請求項３】
報知手段は、ボタンを押す操作により音、光のいずれか一方又は両方を発するように形成されている請求項１記載の指操作式リハビリテーション装置。
【請求項４】
ボタンの押された回数を計数する時間を設定可能であり、かつ設定された計数時間の経過後に計数を停止するタイマーを具備している請求項１記載の指操作式リハビリテーション装置。
【請求項５】
音階にしたがって盤面に配列された複数個のキーを有し、指先で触れると発音装置から特定のキーに応じた特定の音を発するキーボードが併設されている請求項１記載の指操作式リハビリテーション装置。
【請求項６】
指先でボタンを押す動作を繰り返すリハビリテーションのための装置であって、
装置を作動状態にするとともに、パイロットランプを点灯させるメインスイッチ、
メインスイッチ・オンにより作動可能となるタイマーの始動のためのタイマースイッチ、
指先での操作によって回路を閉成し、ボタンの押されたことを知らせる報知手段を駆動可能とする左右各５個より成るボタンの列及び各ボタンに直列接続された個別スイッチ、
ボタンの押された回数を計数するために左右のボタン列に接続された少なくとも１個のカウンター、及び
カウンターの計数を停止し表示を元に戻すために設けられたリセット手段
から成る指操作式リハビリテーション装置。
【発明の詳細な説明】
【技術分野】
【０００１】
本発明は、指先でボタンを押す動作を繰り返す指操作式のリハビリテーションのための装置に関するものである。
【背景技術】
【０００２】
例えば疾病や事故の後遺症或いは老化などにより指先が動かなくなったり、動かし難くなったりした者に対して、障害を克服するために様々なリハビリテーションが行なわれている。指先の動きは脳の働きと関連しており、その動きを改善することは脳の活性化につながることであるから、老齢の場合には老化を遅らせることにもなるが、従来指先の動きを目的としたリハビリテーション装置は殆ど見当たらない。
【０００３】
関連技術には高齢者等の自主管理システムに関する特開２００２−１１０５７号の発明があり、老齢による知的活動の進行を防止するために、日常の規則的な行動を自主管理することを課題としている。しかしリハビリテーションを自主管理することは前提であり、障害の克服には不可欠である。また、特開平１１−１７９００１号はパチンコ機能を備えたリハビリテーション機に関するもので、手指又は身体部分で操作できる操作部分が備わっているが、特定の指だけの訓練となる可能性がある。
【０００４】
【特許文献１】特開２００２−１１０５７号
【特許文献２】特開平１１−１７９００１号
【発明の開示】
【発明が解決しようとする課題】
【０００５】
本発明は前記の点に着目してなされたもので、その課題は、左右の指先を積極的に動かすか或いは動かそうとする努力によって、指先及びそれをコントロールする脳の活性化を図り、老化の進行を遅らせることである。また、本発明の他の課題は、小型かつ安価に提供できることで、個々人がマイペースで使用可能であり、しかも訓練の成果を把握できる指操作式リハビリテーション装置を提供することである。
【課題を解決するための手段】
【０００６】
前記の課題を解決するため、本発明は、指先でボタンを押す動作を繰り返すリハビリテーションのための装置として、盤面に配列された、左右各複数個よりなるボタンの列と、
ボタンの押されたことを知らせる報知手段と、ボタンの押された回数を計数し表示するカウンターと、計数の表示をゼロに戻すリセット手段を具備して構成するという手段を講じたものである（請求項１）。
【０００７】
ボタンの列は、左右の指と同数個つまり５個ずつ設けることが望ましい、しかし、５個でなければ全く役に立たないという訳ではないので、複数個としているものである。従って、５個より少なくてもまた多くても、使用者側の必要など状況に応じて任意の数のボタンを備えることができる。
【０００８】
左右各複数個よりなるボタンの列には、各ボタンを個別に作動可能にするために、ボタンと同数個の個別スイッチが設けることが望ましい（請求項２）。個別スイッチは複数個のスイッチの中から選択した特定のスイッチを作動可能にするもので、能力、練度等を考慮してどのボタンを有効にするかを決定することができる。各５個のボタンを設けた場合でも、１個のボタンしか必要としない者に対しては、上記の個別スイッチを操作し、１個のボタンのみを選択して作動可能とすることができる。
【０００９】
報知手段はボタンを押すという行為の結果、作動するもので、ボタンの押されたことを知らせる、つまりフィードバックする手段である。報知手段ボタンを押す操作により音、光のいずれか一方又は両方を発するように形成されている（請求項３）。報知手段として後述の例ではブザーを採用しているが、ランプの発光であっても良く、両方を併用しても良いということである。また、ボタンが発光する構成も取り得る。
【００１０】
上記ボタンを押す操作は、カウンターにより回数が計数され表示されるものとする。カウンターによる計数とともにタイマーが始動し、所定時間内にボタンを何回押すことができたかを計数し、かつその回数を表示することは、使用者自身に成果を認識させ、或いは管理者に訓練状況を把握させるなどの点において重要なことである。カウンターは、最小限１個あれば良いが、左右各別に２個設けることができ、それらを合わせて３個、或いは全ての指に対応する１０個、さらにそれらを合計した１３個までの間において任意に個数を設定することができる。
【００１１】
上記の計数を停止し、表示をゼロに戻すためにリセット手段が必要である。リセット手段はこの種の装置を繰り返し使用するための手段であり、このようにして、個々人がマイペースで使用可能な装置を構成し得る。また、本発明では、ボタンの押された回数を計数する時間を設定可能であり、かつ設定された計数時間の経過後に計数を停止するタイマーを具備することができる（請求項４）。
【００１２】
上記のボタン列とは別に、本発明の装置には音階にしたがって盤面に配列された複数個のキーを有し、指先で触れると発音装置から特定のキーに応じた特定の音を発するキーボードを併せ設けることができる（請求項５）。このようなキーボードにより、単なるブザーとは異なる音階に従った音を発することができるという効果がある。
【００１３】
本発明に係る指操作式リハビリテーション装置にあっては、これを、
装置を作動状態にするとともに、パイロットランプを点灯させるメインスイッチ、
メインスイッチ・オンにより作動可能となるタイマーの始動のためのタイマースイッチ、
指先での操作によって回路を閉成し、ボタンの押されたことを知らせる報知手段を駆動する左右各５個より成るボタンの列及び各ボタンに直列接続された個別スイッチ、
ボタンの押された回数を計数するために左右のボタン列に接続された少なくとも１個のカウンター、カウンターの計数を停止し表示を元に戻すために設けられたリセット手段
によって構成することができる（請求項６）。
【発明の効果】
【００１４】
本発明は以上のように構成されかつ作用するものであるから、疾病や事故の後遺症或いは高齢者等からなる使用者が、左右のボタン列に指を伸ばして、左右の指先を積極的に動かす或いは動かそうとする努力を繰り返し、その成果が日々確認できることによって、指先及びそれをコントロールする脳の活性化が図られ、老化の進行を遅らせることになる。また、本発明によれば、小型かつ安価に提供することができ、個人がマイペースで使用可能であるので、訓練の成果を把握しやすい指操作式リハビリテーション装置を提供することができるという効果を奏する。
【発明を実施するための最良の形態】
【００１５】
以下図示の実施形態を参照して本発明の指操作式リハビリテーション装置１０についてより詳細に説明する。図１は本発明に係る上記装置１０の例１を示すもので、１１は平たい箱状に形成された装置本体、１２は平坦な上面を持つ盤面、１３はメインスイッチで、オンにするとパイロットランプ１４が点灯する。
【００１６】
１５はボタンの列であり、左右各５個からなるボタンＬ１、Ｌ２、Ｌ３、Ｌ４、Ｌ５、Ｒ１、Ｒ２、Ｒ３、Ｒ４、Ｒ５によって構成されている。これらのボタンＬ１〜Ｒ５は押しボタンであり、操作者が押す操作により接点がオンになる。例１の装置１０では、各ボタンＬ１〜Ｒ５を個別に作動可能な状態にするために、ボタンと同数個の個別スイッチＳＬ１、ＳＬ２、ＳＬ３、ＳＬ４、ＳＬ５、ＳＲ１、ＳＲ２、ＳＲ３、ＳＲ４、ＳＲ５が設けられている。
【００１７】
また、指先での操作によって回路を閉成し、ボタンＬ１〜Ｒ５の押されたことを知らせる報知手段１６としてブザーが設けられている。例示の場合、報知手段１６にはブザーが用意されているだけであるが、光でボタンＬ１〜Ｒ５の押されたことを知らせるのは容易である。例えばボタンＬ１〜Ｒ５とスイッチＳＬ１〜ＳＲ５の間にＬＥＤなどの発光素子を接続し、そのＬＥＤなどで各ボタンが点灯するようにしても良い。
【００１８】
１７はタイマー起動用のタイマースイッチ、１８はタイマー、１９Ｓ、１９Ｅはタイマー用ランプで、タイマースイッチ・オンにより一方のランプ１９Ｓが点灯し、タイムアップにより他方のランプ１９Ｅが点灯する。タイマー１８はつまみ１８ａを有しそれを回転させることで、所望の作動時間を設定可能である。
【００１９】
ボタンＬ１〜Ｒ５の押された回数を計数するために、図１の例では、左右のボタン列に接続され、回数を左右各別に表示する左右カウンター２０Ｌ、２０Ｒと、それらの計数値の合計値を表示する合計カウンター２０Ｔが設けられている。全てのカウンター２０Ｌ、２０Ｒ、２０Ｔはタイマースイッチのオン・オフと連動しており、設定時間内でボタンＬ１〜Ｒ５が何回押されたかを計数する。
【００２０】
上記計数を停止し表示をゼロに戻すために、リセット手段２１Ｌ、２１Ｒの押しボタンが盤面１２に設置されている。図中２２はスタンドであり、盤面１２の角度を調節できるように、装置本体１１の左右両側面にネジ２３を用いて取り付けられている。上記図１の装置１０は、図２に記載した回路例のように構成されており、同回路においてリセット手段２１Ｌ、２１Ｒは左右カウンター２０Ｌ、２０Ｒに接続されている。これらのリセットにより合計カウンター２０Ｔもリセットされる。
【００２１】
このように構成された本発明の装置１０を使用するには、電源に接続後、個別スイッチＳＬ１、ＳＬ２、ＳＬ３、ＳＬ４、ＳＬ５、ＳＲ１、ＳＲ２、ＳＲ３、ＳＲ４、ＳＲ５の全て、又は必要とするスイッチのみをオンとし、ついでタイマースイッチ１７を開放位置（図２の位置）にする。また、カウンター２０Ｌ、２０Ｒ、２０Ｔのゼロ表示を確認し、ゼロになっていなければリセット手段２１Ｌ、２１Ｒによりゼロ復帰し、また、メインスイッチをオンにするとともに、パイロットランプ１４の点灯を確認する。
【００２２】
ここでボタンＬ１〜Ｒ５を押す動作がカウントされる状態になるものであり、このときボタンＬ１〜Ｒ５を押す毎に報知手段１６のブザーが鳴り、また、ボタンＬ１〜Ｒ５が１回押される度にカウンター２０Ｌ、２０Ｒ、２０Ｔの表示値が増えて行くのを確認することができる。よって、使用者及び管理者には正しく操作されていることが分かり、目標の作業を繰り返すことができる。
【００２３】
リハビリテーションの計画案としては、先ず、左右ともに内側から親指、人差し指、中指、薬指そして小指という順にてボタンＬ１〜Ｒ５を押す作業を基本にすることが想定されている。最初は最も押しやすい指から始め、次第に動かしにくい指に移り、最終的に全ての指を完全に動かすことが一つの典型的なパターンであろう。そして、慣れて来るにつれてタイマー１８をオンにし、タイムアップで計数停止までの設定時間内で、何回ボタンＬ１〜Ｒ５を押したかを計数する。そして計数確認後、カウンター２０Ｌ、２０Ｒ、２０Ｔの表示をゼロにして作業を繰り返し、目的に向けて努力するものである。
【００２４】
図２は、タイマー１８を使用していない状態からタイマースイッチ１７を切り替えて、タイマー接点１７ａがオンとなり、かつそれとともに全てのカウンター２０Ｌ、２０Ｒ、２０Ｔの接点１７Ｌ、１７Ｒ、１７Ｔもオンになっている状態を示している。この状態で何れかのカウンターが作動し、その後一定秒時を経てタイムアップとなると、タイマーからの信号により常開接点１７ｂが閉成し、それに伴い計数が停止されることとなる。
【００２５】
図３は、本発明に係る例２の装置２８を示すもので、装置の形態がアップライト型に変わっており、図１のものに加え、音階にしたがって盤面に配列された複数個のキーからなるキーボード２４を有し、キーボード２４に指先で触れると発音装置２５から特定のキーに応じた特定の音を発するように設けられている。ボタンＬ１〜Ｒ５類は、側面形状がほぼＬ字型の本体の平たい盤面１２に配置されており、奥に立ち上がった面はシャーシ２６であり、内部にはカウンター、ランプ、スイッチ等が設置されており、正面にはカウンター表示部２７が配設されている。それ以外の構成は図１のものと同様であり、符号も図１のものを援用する。
【００２６】
本発明に係る図３の例においても、装置１０の使用方法及び作動は、図１の例の場合とほぼ同様である。しかし例２の場合、立ち上がったシャーシ２６に指毎のカウンター表示部２７−１〜２７−１０が設けられているので、見易いという効果があり、損傷を受ける率も少ない。また、キーボード２４を有しているのでメロディーを奏することも可能であり、例１の場合に比較すると単調なリハビリテーションを、より変化に富んだものとし、意欲を高めることができる。
【図面の簡単な説明】
【００２７】
【図１】本発明に係る例１の指操作式リハビリテーション装置の全体を示す斜視図である。
【図２】同上装置の回路例を示す回路図である。
【図３】同じく本発明に係る例２の指操作式リハビリテーション装置を示すもので、Ａは側面説明図、Ｂは正面説明図である。
【符号の説明】
【００２８】
１０、２８  指操作式リハビリテーション装置
１１  装置本体
１２  盤面
１３  メインスイッチ
１４  パイロットランプ
１５  ボタンの列
１６  報知手段
１７  タイマースイッチ
１８  タイマー
１９Ｓ、１９Ｅ  タイマーランプ
２０Ｌ、２０Ｒ、２０Ｔ  カウンター
２１Ｌ、２１Ｒ  リセット手段
２２  スタンド
２３  ネジ
２４  キーボード
２５  発音装置
２６  立ち上がったシャーシ
２７  カウンター表示部
【図１】
2009189645.tif 000003
【図２】
2009189645.tif 000004
【図３】
2009189645.tif 000005